(57)【特許請求の範囲】
【請求項１】
短辺と長辺とを有し、長辺側が下になる第１の位置と短辺側が下になり収納される第２の位置との間で回動可能な操作手段と、
画像データを無線で受信する無線通信手段と、
画像データ受信用のシリアルケーブルを接続するシリアルデータ端子と、
上記無線通信手段を介して受信された画像データ及びシリアルデータ端子を介して受信された画像データを保存する記録媒体と、
上記記録媒体から読み出された画像データに対して所定の画像信号処理を施すことによって画像信号を生成する画像信号処理手段と、
上記画像信号処理手段からの画像信号を表示する画像表示手段と、
周囲の光量を検出する光検出手段と、
上記光検出手段からの検出信号に基づいて上記画像表示手段の表示の明るさを調整し、検出した光量が一定値以下であるとき、表示の明るさを暗くするように調整する調整手段と
を備える画像表示装置であって、
当該画像表示装置は、通常状態では上記無線通信手段を使用したデータ通信側が選ばれ、該画像表示装置は、上記シリアルデータ端子にシリアルケーブルが接続されたとき、該シリアルデータ端子を介したデータ通信を自動的に選択する通信切換スイッチをさらに備えることを特徴とする画像表示装置。
【請求項２】
上記画像表示手段の表示状態を切り換える時間を設定させるための時間設定部と、
上記時間設定部で設定された時間だけ上記画像表示手段の表示状態を継続する制御手段と
を備える請求項１記載の画像表示装置。
【請求項３】
外部記録媒体が装着される装着部
を備える請求項１記載の画像表示装置。
【請求項４】
プリンタに画像データを通信するプリンタインターフェース
を備える請求項１記載の画像表示装置。
【請求項５】
上記画像表示手段に画像データのスライドショーを表示する手段
を備える請求項１記載の画像表示装置。
【発明の詳細な説明】
【技術分野】
【０００１】
本発明は、例えばディジタルスチルカメラ等にて撮影されたディジタル画像を表示する画像表示装置に関する。
【背景技術】
【０００２】
従来より、銀塩フィルムを用いたカメラや電子スチルカメラ（ディジタルスチルカメラも含む）等により撮影された画像は、鑑賞するために用いられることが多く、その鑑賞の方法には様々な形態が存在している。
【０００３】
銀塩フィルムを用いたカメラにより撮影された画像を鑑賞する場合の鑑賞形態としては、例えば、当該カメラにて撮影された画像を印画紙に印画した写真を例えば写真たてや額に入れて観る鑑賞や、写真アルバムに整理して入れた写真を観る鑑賞、ポジフィルムの場合に当該ポジフィルムをスライド映写機にてスクリーン上に映して観る鑑賞等が考えられる。
【０００４】
また、電子スチルカメラ（ディジタルスチルカメラも含む）により撮影された画像を鑑賞する場合の鑑賞形態としては、例えば、そのカメラにて撮影した画像をパーソナルコンピュータに接続された表示装置に表示することによる鑑賞、当該カメラが画像再生用の表示装置を備えたカメラの場合はその表示装置に表示することによる鑑賞等の形態が考えられる。
【０００５】
従来技術として、特許文献１が知られている。
【先行技術文献】
【特許文献】
【０００６】
【特許文献１】特開平０５−１０８７３２号公報
【特許文献２】特開平１０−８３１４６号公報
【特許文献３】特開平５−１４５８７２号公報
【特許文献４】特開平９−１２７９２２号公報
【特許文献５】国際公開第９７／１１４４７号
【特許文献６】実願平２−４０１８７１号（実開平４−１１４０８１号）のマイクロフィルム
【特許文献７】特開平９−２１９９８号公報
【発明の概要】
【発明が解決しようとする課題】
【０００７】
しかし、銀塩フィルムを用いたカメラにより撮影された画像を鑑賞する場合において、例えば写真を写真たてや額等に入れた場合には、常時同じ写真しか鑑賞できず、別の写真を鑑賞するには写真の入れ替えが必要となる。また、写真アルバムに入れた写真を観る場合には、アルバムを取り出して開く手間が必要になり、例えば３６枚撮りの写真を観るにはアルバムのページを捲らなければならず、常時鑑賞するようなことができない。ポジフィルムをスライド映写機にてスクリーン上に映して観る場合には、周囲を暗くして観なければならず、また、スクリーンなどが必要となり、全体として大がかりになってしまう。
【０００８】
一方で、電子スチルカメラ（ディジタルスチルカメラも含む）等により撮影された画像を鑑賞する場合は、例えば銀塩フィルムから得られた複数の写真を鑑賞する場合のように、写真たてや額への写真の入れ替えが不要で、また、アルバムのページを捲るような手間も不要で、スライド映写機等の大がかりな装置も不要であるが、例えばパーソナルコンピュータとそれに接続された表示装置が必要であり、また、画像再生用の表示装置を備えたカメラの場合はその表示装置を介さなければ画像の鑑賞ができない。なお、近年は、例えば著名人の写真集などをディジタル画像化して外部記録媒体に記録し、この外部記録媒体を販売するようなことも行われているが、当該外部記録媒体に記録されたディジタル画像を鑑賞する場合にも、例えばパーソナルコンピュータとそれに接続された表示装置が必要となり、手軽にディジタル画像を表示するための専用の装置も存在していない。
【０００９】
そこで、本発明はこのような状況に鑑みてなされたものであり、パーソナルコンピュータ及び表示装置を所有していなくても手軽にディジタル画像を鑑賞することができ、また、使用電力量を減らして、省エネルギ効果を得ることができる画像表示装置を提供することを目的とする。
【課題を解決するための手段】
【００１０】
本発明に係る画像表示装置は、上記課題を解決するために、短辺と長辺とを有し、長辺側が下になる第１の位置と短辺側が下になり収納される第２の位置との間で回動可能な操作手段と、画像データを無線で受信する無線通信手段と、画像データ受信用のシリアルケーブルを接続するシリアルデータ端子と、上記無線通信手段を介して受信された画像データ及びシリアルデータ端子を介して受信された画像データを保存する記録媒体と、上記記録媒体から読み出された画像データに対して所定の画像信号処理を施すことによって画像信号を生成する画像信号処理手段と、上記画像信号処理手段からの画像信号を表示する画像表示手段と、周囲の光量を検出する光検出手段と、上記光検出手段からの検出信号に基づいて上記画像表示手段の表示の明るさを調整し、検出した光量が一定値以下であるとき、表示の明るさを暗くするように調整する調整手段とを備える画像表示装置であって、当該画像表示装置は、通常状態では上記無線通信手段を使用したデータ通信側が選ばれ、該画像表示装置は、上記シリアルデータ端子にシリアルケーブルが接続されたとき、該シリアルデータ端子を介したデータ通信を自動的に選択する通信切換スイッチをさらに備えることを特徴とする。
【発明の効果】
【００１１】
本発明によれば、光検出手段が周囲の光量を検出し、検出した光量が一定値以下であるとき、画像表示手段の表示の明るさを暗くするように調整することにより、表示を観やすくすることができる。
【図面の簡単な説明】
【００１２】
【図１】本発明の実施の形態となる画像表示装置の正面図である。
【図２】上記画像表示装置の背面側からの斜視図である。
【図３】上記画像表示装置が操作部を全回動させている状態の正面図である。
【図４】上記画像表示装置が操作部を全回動させている状態の背面図である。
【図５】上記画像表示装置の側面図である。
【図６】上記画像表示装置の内部構成を示すブロック図である。
【図７】上記画像表示装置から操作部を取り出す状態を示す図である。
【図８】上記画像表示装置で操作部を取り出し電源スイッチをオンにしてからメモリーカードを挿入するまでの動作を説明するための図である。
【図９】上記画像表示装置を横にして画像を再生している状態を示す図である。
【図１０】上記画像表示装置を縦にして画像を再生している状態を示す図である。
【図１１】上記画像表示装置を構成する透明カバー板と、化粧板と、ディスプレイ本体部の分解斜視図である。
【図１２】操作部をスライド収納するタイプの画像表示装置の外観斜視図である。
【図１３】他の実施の形態となる画像表示装置の正面側からの斜視図である。
【図１４】上記図１３に示した画像表示装置の背面側からの斜視図である。
【図１５】上記図１３及び図１４に示した画像表示装置の内部構成を示すブロック図である。
【図１６】上記図１３及び図１４に示した画像表示装置の表示部上の表示画像の表示方向の決定動作を説明するための図である。
【図１７】上記図１３及び図１４に示した画像表示装置と外部装置、外部記録媒体との間の接続状態を説明するための図である。
【発明を実施するための形態】
【００１３】
以下、本発明に係る画像表示装置の実施の形態について図面を参照しながら説明する。この実施の形態は外部記録媒体であるメモリーカードに記録されている画像データを表示部に表示する、図１及び図２に外観を示す画像表示装置１である。図１は画像表示装置１の正面図であり、図２は背面側からの斜視図である。
【００１４】
この画像表示装置１は、最外部側、すなわち鑑賞者側から順番に、アクリルからなる透明カバー板２と、表示部４を視認させる開口部と後述する人体認識センサ５用の開口部を切り欠いた化粧板３と、表示部４と人体認識センサ５を備えた本体部７とを固定用止め具６で接合して組み立てられている。
【００１５】
表示部４は、例えば液晶ディスプレイやプラズマディスプレイ等の薄型且つ軽量のディスプレイであり、後述する画像処理ブロックから供給された表示画像信号に基づく画像の表示を行う。
【００１６】
装置を横長に設置したとき、本体部７の上部には図２に示すように、後述する操作部１０の操作釦群８と電源スイッチ１９が配設される。また、本体部７の背面側の右端部中央よりには後述するスリープ時間設定のためのスライドスイッチ４６が設けられる。この画像表示装置１は本体７の筐体にネジで固定された脚部９と、透明カバー板２によって支えられ、例えば机上に設置される。
【００１７】
図３には画像表示装置１が操作部を全回動させている状態の正面図を示す。本体部７に対して操作部１０が支点２１を係止して９０度回動する。図示は操作部１０を矢印Ｒ方向に９０度回動させた状態であり、この状態から矢印Ｌ方向に９０度回動することにより操作部１０を本体部７内に収納できる。
【００１８】
操作部１０にはメモリーカード挿入部１１が設けられおり、メモリーカード１２の外部からの挿入を可能としている。メモリーカード挿入部１１の内部にはメモリーカード１２を接続するためのメモリーカードスロットが設けられている。
【００１９】
メモリーカード１２はいわゆるＳＳＦＤＣ（Solid-State Floppy Disk Card）と略称されるフラッシュＥＥＰＲＯＭ（Electically Erasable and Programmable ROM）を用いたメモリーカードやいわゆるミニチュアカード等の少なくともディジタル画像データを記憶可能な記録媒体である。
【００２０】
操作部１０には右端部側の上部から早送りサーチ釦１３、再生及び停止釦１４、早戻しサーチ釦１５、ローテート（ROTATE）釦１６及びディスプレイ（DISPLAY）釦１７が設けられている。また、下部には十字キー１８が設けられている。
【００２１】
早送りサーチ釦１３はメモリーカード１２に記録された画像情報を早送りしてサーチするための釦である。再生及び停止釦１４はメモリーカード１２に記録された画像情報を再生及び停止する釦である。早戻しサーチ釦１５はメモリーカード１２に記録された画像情報を早戻しサーチするための釦である。ローテート釦１６は表示部４に表示する画像の表示方向情報をメモリーカード１２に記録するための釦である。ディスプレイ釦１７は画像情報に付加されている例えば撮影日時やインデックス情報の表示をオンオフするための釦である。十字キー１８は、表示部４に表示されたメニュー項目を選択、確定するための釦である。上下左右を指示する各キー１８ａ，１８ｃ，１８ｄ及び１８ｂを備えると共に、中央部に確定用のクリック釦１８ｅを備えている。
【００２２】
図３に示した状態において、操作部１０の各釦に関するキャラクタ表示は操作者（鑑賞者）に正面から視認されるので、操作者は表示部４を見ながら操作できる。また、この操作部１０を矢印Ｌ方向に９０度回動させると上記１３〜１７の各操作釦は本体部７の上部に位置して、上述した操作釦群８を形成する。各釦のキャラクタ表示は例えば化粧板３の上部にも設けられているので操作者は操作部１０が本体部７に収納されている状態でも上記各釦１３〜１７を操作できる。
【００２３】
また、操作部１０は横長に広がるように構成されているので、操作するときは装置を縦にすることがなく、その結果、画面上の表示文字は横方向のみ考えればよいことになる。
【００２４】
さらにメモリーカード挿入部１１も操作部１０に付いているので、操作部１０を閉じたとき、挿入部１１が露出しない構造になっている。
【００２５】
図４には画像表示装置１が操作部を全回動させている状態の背面図を示す。本体部７に対して操作部１０が９０度回動している状態である。
【００２６】
脚部９は、二つの取り付け孔２０ａ及び２０ｂを縦方向に配設している。上側の取り付け孔２０ａにネジ２０ｃを通して本体部７に接合されると、脚部９は長く使われる。これに対して脚部９が下側の取り付け孔２０ｂにネジ２０ｃを通して本体部７に接合されると、脚部９は短く使われる。脚部９は透明カバー板２と一緒に装置を支えているので、脚部９が長いと表示部４は例えば机上の設置面に対して起きあがってくる。また脚部９が短いと表示部９は設置面に対して比較的寝てくる。このように二つの孔を設けることにより鑑賞者に設置面に対する角度を選択させることができる。また、脚部９は底辺の中心を上記孔の位置から右側にずらし、底辺を背面側から見て右側に伸ばしている。これは画像表示装置１が縦置きにされたときにも安定して支えることができるようにするためである。
【００２７】
また、本体部７には固定の操作釦も配設されている。上部に取り付けられた電源スイッチ１９、背面側から見た側部に取り付けられた表示部４の明るさを調整するためのブライト（BRIGHT）＋釦４７ａ，ブライト−釦４７ｂである。また、背面には操作者に表示状態を継続させる時間、又はスリープのための時間を設定させるスライドスイッチ４６も設けられている。また、側面の下部にはスピーカ４８が備えられている。また、背面側から見て左下部には直流電源ＤＣが接続される接続部２２も設けられている。
【００２８】
図５には上記ブライト＋釦４７ａ，ブライト−釦４７ｂやスピーカ４８が設置されている側面部を示す。上述したように、この画像表示装置１は脚部９と透明カバー板２によって支えられて例えば机の設置面２３に置かれる。
【００２９】
次に、この画像表示装置１の内部構成について図６のブロック図を参照しながら説明する。
【００３０】
メモリーカード１２には、既に電子スチルカメラ等により撮影された画像情報が圧縮画像データとして記録されている。
【００３１】
メモリーカード１２に記録された画像を再生する場合、制御マイコン（マイクロコンピュータ）４２はメモリーカードコントローラー４０を経てメモリーカード１２より圧縮画像データを読み込み、内蔵のＤＲＡＭに記録する。その圧縮画像データを画像処理ブロック４３で伸張処理し、ＤＲＡＭに書き戻す。ＤＲＡＭに書き戻された画像データは、画像処理ブロック４３で処理された後、表示部４に表示される。
【００３２】
特にこの画像表示装置１は制御マイコン４２を使って、表示部３に表示する画像の表示方向情報をメモリーカード１２にメモリーカードコントローラ４０を介して記録すると共に、メモリーカード１２から読み出した上記表示方向情報に応じた表示画像信号を表示部４に表示する。
【００３３】
上記表示方向情報とは、画像を表示する際の方向に関する情報である。具体的には、操作者がはじめにメモリーカード１２から画像情報を読み出して表示部４に表示した際に、操作部１０のローテート釦１６を押しながら表示の際の上下方向を指示する情報である。一つの画像に対してローテート釦１６を最大でも３度押せば例えば右周りに画像を回転させて、自分の好みの上下方向を指示できる。
【００３４】
制御マイコン４２はローテート釦１６の押下に応じ画像処理ブロック４３を通して画像を回転させて得られる上記表示方向情報をメモリーカード１２に画像情報と共に書き込む。上記表示方向情報が書き込まれたメモリーカード１２はこのまま同じ画像表示装置１に挿入されていてもよいが、他の画像表示装置に挿入されてもよい。
【００３５】
例えば同じ画像表示装置１に挿入されたままで、次に操作者が表示部４に画像を表示しようとするときには上記表示方向情報に応じた上下方向で画像を表示できる。画像表示装置１の設置状況が上記表示方向情報記録時と異なっても上下方向はそのままで表示できる。これは位置検出スイッチ４１が画像表示装置１の横置き又は縦置き等の設置状態を検出し、検出出力を制御マイコン４２に送り、かつ制御マイコン４２がメモリーカードコントローラ４０を介してメモリーカード１２から上記表示方向情報を読み出すことにより可能となる。位置検出スイッチ４１としては、二方向に可動素子が動くもの、あるいは全方向に振り子型素子が動くものを利用できる。
【００３６】
上記表示方向情報のメモリーカード１２への記録から、その表示方向情報に応じた画像の表示処理までを図７〜図１０を参照しながら以下に説明する。
【００３７】
先ず、図７に示すように、操作部１０を取り出し、図８で電源スイッチ１９をオンにし、メモリーカード１２を挿入してから、１枚１枚の画像２４を表示部４に表示しながらローテート釦１６を最大で３度押下して上下方向を決定し、この上下方向に関する情報を上記表示方向情報としてメモリーカード１２に画像２４情報と共に記録する。
【００３８】
すると、次に、再生するときには、図９に示すように画像表示装置１を横にしても、図１０に示すように縦にしても、いちいち上下方向を指示しなくても、正しい方向に表示できる。縦にした場合には表示部４の上下に若干の非表示領域２６，２７ができる。
【００３９】
さらに、この画像表示装置１は、上記図１〜図６に示してきた人体認識センサ５を備えており、人体の接近等を認識すると、表示部４の表示状態を切り換えることができる。人体認識センサ５の具体例としては、例えば人体から発生する赤外線を感知する赤外線センサや、超音波を発生してその反射波により人や物の接近を感知する超音波センサ、レーザ光やＬＥＤ（発行ダイオード）光等を発生してその反射光により人や物の接近を感知する光センサ等の各種の認識センサが考えられる。特に、この画像表示装置１では、人体認識センサ５の前の空間の２０ｃｍ以内で例えば手がかざされたときに検出出力を出すものとする。
【００４０】
制御マイコン４２は人体認識センサ５からの検出を受けると、図示しない電源ブロックからの電源の表示部４への供給をオン／オフする。すなわち、人体認識センサ５にて人が手をかざしたことを検出すると、電源ブロックからの電源を表示部４に供給し、表示部４をオン状態にする。
【００４１】
また、装置本体７の背面部に配設されたスリープ切換用のスライドスイッチ４６により、その表示時間を３０分、６０分などに設定していれば、人が手をかざしたことを検出した後、３０分又は６０分等設定された時間だけ表示部４をオンにすることができる。
【００４２】
さらに、画像表示装置１を構成する透明カバー板２と、化粧板３と、ディスプレイ本体部７は図１１のように分解可能にできるので、化粧板３を設置場所、例えば部屋の雰囲気に合わせて変えることもできる。透明カバー板２と化粧板３とディスプレイ本体７の接続は、固定用止め具６を化粧板３の穴２８を通してディスプレイ本体７の止め具固定部２９に挿入することによって行われる。化粧板３としては色や、デザインを異ならせたものを用意しておく。
【００４３】
またさらに画像表示装置１では、操作部１０を図３及び図４に示した支点２１を中心に９０度回動して引き出すようにしていたが、図１２に示すようなタイプの画像表示装置３０としてもよい。
【００４４】
すなわち、画像表示装置３０は、表示部３２を備えたディスプレイ本体３１に対して、各種操作釦３４及び３５を備えた操作部３３をスライドさせて引き出す。操作部３３にはメモリーカード３７を挿入するためのメモリーカード挿入部３６が備えてある。このため、この画像表示装置３０でも、操作部３３を閉じたとき、挿入口が外部に露出しない構造になっている。
【００４５】
次に、本発明の他の実施の形態について以下に説明する。この他の実施の形態は図１３及び図１４に外観を示す画像表示装置５０である。図１３は画像表示装置５０を斜め正面からみた図を、図１４は斜め背面からみた図を示している。
【００４６】
図１３において、画像表示装置５０は、装飾的なデザインが施された写真たて形状の筐体５１を備えている。また、当該筐体５１の前面には表示部５２と赤外線素子５４と光センサ５５と人体認識センサ５６と操作釦５７が配され、例えば筐体５１の上部には外部記録媒体となるメモリーカードを装着するためのソケット５３が配されている。
【００４７】
また、図１４において、筐体５１の背面側には、当該筐体５１を立てるための脚部５９と、後述するシリアルケーブル用のソケット５８が配されている。なお、この図１３及び図１４に例示した筐体は、電源として乾電池或いは２次電池を使用しており、したがって、電源コードは存在していない。もちろん、外部から電源を供給する場合には電源コードが例えば背面側に設けられることになる。
【００４８】
なお、図１３及び図１４の例では、装飾的なデザインが施された筐体として写真たて形状の筐体を挙げたが、額形状の筐体であってもよい。
【００４９】
図１５には画像表示装置５０の内部構成を示す。この図１５において、ソケット５８は、例えばシリアルケーブル接続用のソケットである。また、赤外線素子（ＩｒＤＡ）５４は、赤外線を使用して通信を行うための赤外線通信用Ｉ／Ｏポートである。したがって、画像表示装置５０は、当該ソケット５８或いは赤外線素子５４を介して外部装置と接続可能となっている。なお、外部装置としては、後述するように、少なくともディジタル画像データを供給するためのデジタルスチルカメラ、パーソナルコンピュータ、フィルムスキャナ等が考えられる。この画像表示装置５０では、当該ソケット５８或いは赤外線素子５４を介して上述の外部装置からディジタル画像データを受け取る。なお、画像表示装置５０と外部装置との間のデータ通信として、通常状態では赤外線通信素子５４を使用したデータ通信側が選ばれていることにする。
【００５０】
通信切替スイッチ６１は、ソケット５８を介したデータ通信と赤外線素子５４を介したデータ通信を選択的に切り替えて通信ブロック６２に送るための切替手段である。この画像表示装置５０では、上述したように、通常状態で赤外線素子５４を使用したデータ通信側が選ばれているが、ソケット５８にシリアルケーブルが接続された時点で、当該通信切替スイッチ６１が動作し、上記ソケット５８を介したデータ通信側が選ばれる。
【００５１】
通信ブロック６２は、上記赤外線素子５４或いはソケット５８を介し、さらに上記通信切替スイッチ６１を介して受け取った外部装置からのデータを、所定の規則に従って内蔵メモリ６３に供給する。
【００５２】
ソケット５３は、外部記録媒体接続用のソケットである。したがって、この画像表示装置５０は、当該ソケット５３を介して外部記録媒体と接続可能となされている。外部記録媒体としては、上述したようなメモリカードを用いる。当該メモリカードを使用したときのソケット５３は、例えばメモリカードスロットからなる。この画像表示装置５０では、当該ソケット５３を介して外部記録媒体からディジタル画像データを受け取り、このソケット５３を介して受け取ったディジタル画像データが、通信／媒体切替スイッチ６４に送られる。なお、この画像表示装置５０では、外部記録媒体接続用のソケット５３を複数設けることも可能であり、このように画像表示装置に複数のソケット５３を設け、各ソケットにそれぞれ外部記録媒体を装着した場合には、これら各外部記録媒体間でのデータ通信も可能である。
【００５３】
内蔵メモリ６３は、画像表示装置５０に内蔵される、書き換え可能なメモリであり、ソケット５８或いは赤外線素子５４を介し、更に通信切替スイッチ６２と通信ブロック６２を介して供給された外部装置からのディジタル画像データを一時的に保存し、この保存したディジタル画像データを通信／媒体切替スイッチ６４に送る。この内蔵メモリ６３、書き換え可能であるため、必要に応じて上記外部装置からのディジタル画像データを入れ替えることができる。
【００５４】
通信／媒体切替スイッチ６４は、ソケット５３を介して外部記録媒体から供給されるディジタル画像データと、内蔵メモリ６３から読み出されたディジタル画像データとを選択的に切り替えて、画像処理ブロック６５に送るための切替手段である。ここでは、通常状態として内蔵メモリ６３から読み出されたディジタル画像データが画像処理ブロック６５に送られるようになされているが、ソケット５３に外部記憶媒体が装填された時点で、当該通信／媒体切替スイッチ６４が動作し、上記ソケット５３を介した外部記憶媒体からのディジタル画像データ側が選ばれる。
【００５５】
画像処理ブロック６５は、内蔵メモリ６３から読み出され、通信／媒体切替スイッチ６４を介して供給されたディジタル画像データ、或いはソケット５３から入力され、通信／媒体切替スイッチ６４を介して供給されたディジタル画像データに対して、所定の信号処理を行い、表示部５２にて表示を行うための表示画像信号を生成する。
【００５６】
表示部５２は、例えば液晶ディスプレイやプラズマディスプレイ等の薄型且つ計量のディスプレイであり、上記画像処理ブロック６５から供給された表示画像信号に基づく画像の表示を行う。
【００５７】
位置検出スイッチ６６は、当該画像表示装置５０本体の設置状況に応じて、表示部５２における画像表示の方向を決定するための表示方向決定手段として設けられているものである。当該位置検出スイッチ６６の具体例としては、例えば、画像表示の方向をユーザが選択的に設定するための方向選択スイッチや、例えば重力センサ等を備え、画像表示装置５０がどのように置かれているかを当該重力センサにて自動的に検出し、その置かれた状況に応じて画像表示の方向を自動的に設定するための自動位置検出器などが考えられる。なお、ユーザによる方向選択動作の手間を省くためには、上記自動位置検出器を使用することが望ましい。この位置検出スイッチ６６からの位置検出信号は、画像処理ブロック６５に送られる。
【００５８】
したがってこの場合の画像処理ブロック６５は、当該位置検出信号に応じて表示部５２における画像表示の方向を決定し、当該決定した表示方向に応じた表示画像を上記表示部５２に表示させる。すなわち、表示部５２の表示画面が、例えば図１６に示すようにＶ辺とＨ辺からなる四角形状になされているような場合において、画像表示装置５０が例えば縦位置（縦方向）に置かれていることを上記位置検出信号が示している時、画像処理ブロック６５は、例えば図１６中（Ａ）に示すように、表示部５２の表示画面の例えばＶ辺が上下方向に、Ｈ辺が水平方向になるように表示部５２上の表示画像７０の表示方向を決定し、当該決定した表示方向に応じた表示画像を上記表示部５２に表示させる。一方、例えば表示部５２の表示画面がＶ辺とＨ辺からなる四角形状になされているような場合において、画像表示装置５０が例えば横位置に置かれていることを上記位置検出信号が示している時、画像処理ブロック６５は、例えば図１６中（Ｂ）に示すように、表示部５２の表示画面の例えばＨ辺が上下方向に、Ｖ辺が水平方向になるように表示部５２上の表示画像７０の表示方向を決定し、当該決定した表示方向に応じた表示画像を上記表示部５２に表示させる。
【００５９】
なお、図１６の例では、表示部５２の表示画面の形状として、Ｖ辺がＨ辺より長い長方形を例に挙げているが、Ｈ辺がＶ辺より長い長方形でもよく、また、Ｖ辺とＨ辺の長さが等しい正方形であってもよい。さらに、表示部５２の表示画面の形状は、長方形や正方形だけでなく、円形、楕円形、台形、各種の多角形等のいかなる形状であってもよいが、いずれの形状を採用した場合でも、表示部５２上に表示される表示画像７０の上下方向は、当該画像表示装置５０の置かれた状況に応じて決定される。言い換えれば、画像表示装置５０おいては、表示部５２の表示画面の形状が、例えば円形や六角形，８角形等のように特に表示方向として縦方向や横方向のように決まった方向を持たせることが困難な形状であったとしても、表示部５２上に表示される表示画像７０の上下方向を当該画像表示装置５０本体の置かれた状況に応じて決定することができる。もちろん、上述のような画像表示装置５０本体の置かれた状況に応じた表示方向の決定を行わないようにすることも可能である。
【００６０】
電源ブロック６７は、画像表示装置５０に電源を供給するための電源であり、電源コードを介したＡＣ電源を所定電圧のＤＣ電源に変換して供給するものである。なお、当該電源ブロック６７は、例えば各種２次電池や乾電池等から所定電圧のＤＣ電源を供給するものであってもよい。
【００６１】
人体認識センサ５６も、当該画像表示装置５０に対して、例えば人（又は物）が一定の範囲内に来たことを検出し、その検出信号を出力するものである。この人体認識センサ５６の具体例としては、例えば人体から発生する赤外線を感知する赤外線センサや、超音波を発生してその反射波により人や物の接近を感知する超音波センサ、レーザ光やＬＥＤ（発光ダイオード）光等を発生してその反射光により人や物の接近を感知する光センサ等の各種の認識センサが考えられる。
【００６２】
電源供給スイッチ６８は、上記電源ブロック６７と画像表示装置５０の本体との間に設けられるものであり、上記人体認識センサ５６からの検出信号に応じて、上記電源ブロック６７からの電源の画像表示装置５０の本体への供給をオン／オフする。すなわち、電源供給スイッチ６８は、上記人体認識センサ５６にて特に人が画像表示装置５０に対して一定範囲内に来たときにのみ、上記電源ブロック６７からの電源を画像表示装置５０の本体に供給し、一方で、人が画像表示装置５０に対して一定範囲内に来ていないときには上記電源ブロック６７からの電源を画像表示装置５０の本体に供給しないようにすることで、必要のない時（人が近くにいなくて表示画像を観ている可能性が充分低い時）の表示を行わないようにし、当該ディジタル画像表示装置１の使用電力量を減らして、省エネルギ効果を得るようにしている。
【００６３】
光センサ５５は、当該画像表示装置５０の周囲の明るさを検知するためのセンサであり、その光検出出力を表示部明るさ調整部６９に送る。
【００６４】
表示部明るさ調整部６９は、表示部５２の明るさを調整するための調整手段であり、例えば上記光センサ５５からの光検出出力に応じて上記表示部５２の表示を点灯／非点灯する。すなわち、上記表示部明るさ調整部６９では、上記光センサ５５にてある一定以上の光量、又は光量がある一定以下であることを検知したときに、上記表示部５２を点灯する。なお、上記ある一定以上の光量を検知したときに表示部５２を点灯する理由としては、例えば昼間や強い照明光が存在する場合のように、ある一定以上の光量があって明るいとき、人が活動している可能性が高く、表示部５２の表示を誰かが観る可能性が高いためであり、したがって、ある一定以上の光量を検知したときに上記表示部５２を点灯するようにする。また、光量がある一定以下であるときに表示部５２を点灯する理由としては、例えば夜間や弱い照明状態のように暗い環境のとき、表示部５２の表示が見難いと考えられるため、上記表示部５２を点灯するようにする。
【００６５】
また、表示部明るさ調整部６９は、上記光センサ５５からの光検出出力に応じて、表示部５２における表示の明るさを調整するための可変調整手段とすることも可能である。すなわち、表示部５２における表示の明るさは、例えば昼間のように明るい環境ではより明るく、逆に夜間や夕方等のように比較的暗い環境では多少暗くした方が（明るすぎない方が）観やすくなるため、この場合の上記表示部明るさ調整部６９では、上記光センサ５５にてある一定以上の光量（例えば昼間の光量）を検知したときには上記表示部５２の表示の明るさをより明るくするように、逆に、上記光センサ５５にて検知した光量がある一定以下（例えば夜間や夕方等の光量）であるときには上記表示部５２の表示の明るさを暗くするように調整する。
【００６６】
操作部５７は、画像表示装置５０の動作をユーザが操作するための操作釦を備えている。例えば画像処理ブロック６５が表示部５２上に各種の操作メニュー項目を表示させた状態で、当該操作部５７にてそれらメニュー項目の何れかを選択することで、画像表示装置５０の動作をユーザが操作する。なお、操作メニュー項目として挙げられる操作項目一例としては、上記人体認識センサ５６や光センサ５５の機能の入／切（オン／オフ）、ディジタル画像のスライド表示（スライドショー）や、フェード表示など各種の表示方法にかかるものが考えられる。
【００６７】
なお、上述した内蔵メモリ６３に記憶したディジタル画像データは、いわゆるプリンタ等にてプリントすることも可能である。この場合、内蔵メモリ６３に記憶されているディジタル画像データを、例えば赤外線素子５４を介して赤外線通信対応のプリンタに通信してプリント出力させ、また、ソケット５８を介してシリアルケーブル対応のプリンタに通信してプリント出力させる。
【００６８】
上述のように、例えば銀塩写真の写真たてのような形状の筐体を備えることで画像表示装置１は、装飾的な機能を付加することが可能となり、また、表示画像は外部装置や外部記録媒体から供給されるため、銀塩写真の写真たて等のように写真の入れ替えに手間取ることなく、簡単に表示画像を入れ替えることが可能となる。
【００６９】
次に、図１７を用いて、画像表示装置５０と各種外部装置、外部記録媒体との間の通信形態について説明する。
【００７０】
この図１７において、画像表示装置５０は、外部装置としてのディジタルスチルカメラ７２、パーソナルコンピュータ７３、フィルムスキャナ７５、プリンタ７４等と接続可能である。これら外部装置と画像表示装置５０との間のデータ通信は、前記赤外線素子５４やシリアルケーブル用のソケット５８を介して行われる。また、画像表示装置５０には、外部記録媒体としての前記メモリカード７１が装着可能である。このメモリカード７１は、画像表示装置５０の前記ソケット５３に装着される。
【００７１】
上述したようなことから、画像表示装置５０によれば、パーソナルコンピュータを介さずに、本体の内蔵メモリ６３にディジタルスチルカメラ等の外部装置からのデジタル映像データを取り込み表示できるため、パーソナルコンピュータのユーザ以外にも表示されたディジタル画像を提供可能であり、パーソナルコンピュータに比べ単機能を追求することで携帯性にも優れている。
【００７２】
また、画像表示装置５０によれば、メモリカード等の外部記録媒体を着脱可能なソケット５３を備えているため、当該外部記録媒体にに記録されたディジタル画像を表示することができ、また、複数のソケット５３を設けることで、複数の外部記録媒体間でのデータの受け渡しが可能となる。さらに、例えば著名人（プロの写真家等）の写真集などが外部記録媒体としてメモリカード化されているとき、当該メモリカードに記録されたディジタル画像を表示することで、著名人の写真集などのディジタル画像を容易に提供でき、そのための再生装置として活用できる。
【００７３】
また、画像表示装置５０によれば、赤外線素子５４やシリアルケーブル用ソケット５８を備えるため、赤外線データ通信やシリアルデータ通信を行うことができ、したがって、内蔵メモリ７のデータ（ディジタル画像データ）を容易に書き換えることができる。
【００７４】
また、画像表示装置５０によれば、操作部５７を備え、当該操作部５７により各種の操作メニューの選択が可能となされているため、幾通りかのディジタル画像の表示方法を選ぶことができる。
【００７５】
また、画像表示装置５０によれば、表示部の大きさによっては、例えば図１３や図１４のように、装飾的なデザインの施された筐体内を用いることができ、これにより装飾用ディスプレイとしての楽しみ方ができる。
【産業上の利用可能性】
【００７６】
上述したような本発明の実施の形態によれば、画像表示手段に画像信号を表示するための上下方向情報を表示方向情報として記録媒体に記録すると共に、この表示方向情報を記録媒体から読み出して画像表示の際に用いることができるので、装置自体を縦にしても横にしても特に上下方向を指示しなくても、正しい方向に画像を表示できる。
【００７７】
また、例えばパーソナルコンピュータ及び表示装置を所有していなくても手軽にディジタル画像を鑑賞することが可能となり、また、著名人の写真集など外部記録媒体を介して提供されるディジタル画像を手軽に鑑賞することが可能となる。さらに、必要であれば、銀塩写真の写真たてや額のような装飾的な機能を持たせることも可能である。
【符号の説明】
【００７８】
１ 画像表示装置、２ 透明カバー板、３ 化粧板、４ 表示部、５ 人体認識センサ、７ ディスプレイ本体部、１０ 操作部、１６ ローテート釦
【図１】
0005889124.tif 000002
【図２】
0005889124.tif 000003
【図３】
0005889124.tif 000004
【図４】
0005889124.tif 000005
【図５】
0005889124.tif 000006
【図６】
0005889124.tif 000007
【図７】
0005889124.tif 000008
【図８】
0005889124.tif 000009
【図９】
0005889124.tif 000010
【図１０】
0005889124.tif 000011
【図１１】
0005889124.tif 000012
【図１２】
0005889124.tif 000013
【図１３】
0005889124.tif 000014
【図１４】
0005889124.tif 000015
【図１５】
0005889124.tif 000016
【図１６】
0005889124.tif 000017
【図１７】
0005889124.tif 000018